(57)【要約】      （修正有）【課題】特に衣類を乾かすため独立的に使用したり組み合わせて使用したりすることができるハンガーを提供する。【解決手段】ハンガーは、少なくとも１つのハンガー部材１Ａを有し、該ハンガー部１Ａは、連接ブロック１０と、フック２０と、２つの支持部３０を備え、そのうち、連接ブロック１０は、係合部１２を備え、係合部１２の一側に、一端に開口が形成されると共に、他端に密封端が設けられる係合凹部１２２が凹設され、該フック２０は、連接ブロック１０の上端に連接され、該２つの支持部３０は、それぞれが連接ブロック１０の両側下端に設けられる。使用する時、１つのハンガー部材を独立的に使用してもよく、２つのハンガー部材が交差に組み合わされて使用してもよいことから、利便性及び実用性に優れる。【選択図】図１
0003210724.tif 000002
【実用新案登録請求の範囲】
【請求項１】
係合部を備え、該係合部の一側に、一端に開口が形成されると共に、他端に密封端が設けられる係合凹部が凹設される、連接ブロックと、
前記連接ブロックの上端に連接される、フックと、
それぞれが前記連接ブロックの両側下端に設けられる２つの支持部を備える、少なくとも１つのハンガー部材を有することを特徴とする、
ハンガー。
【請求項２】
前記係合凹部の密封端が係合部の両側の中間に位置することを特徴とする請求項１に記載のハンガー。
【請求項３】
前記係合部は、少なくとも１つの制限リブを含み、該少なくとも１つの制限リブは、係合凹部と平行すると共に、その延出線が係合凹部の近傍に設定されることを特徴とする請求項１に記載のハンガー。
【請求項４】
前記係合部は、少なくとも１つの止めリブを含み、該少なくとも１つの止めリブは、係合凹部の開口近傍における相対する２つの内側縁のうちの一方に凸設されることを特徴とする請求項１に記載のハンガー。
【請求項５】
前記ハンガー部材における２つの支持部との間に底棒が連接されることを特徴とする請求項１に記載のハンガー。
【請求項６】
前記フックにおける連接ブロックと連接する端面に回転穴が凹設され、該回転穴の内周面に環状の掛け突起が凸設され、前記連接ブロックの係合部の上端に回転頭部が凸設され、該回転頭部の外周面に環状の掛け凹部が凹設され、該掛け突起が回転可能に掛け凹部に組み合わされることを特徴とする請求項１に記載のハンガー。
【請求項７】
２つの前記ハンガー部材を有し、２つの該ハンガー部材がそれぞれの係合凹部を介して交差に組み合わされることを特徴とする請求項１乃至６の何れか１項に記載のハンガー。
【請求項８】
前記係合凹部の幅は、係合部の肉厚より大きく設定され、前記２つのハンガー部材が交差に組み合わされた角度が９０度よりも小さくなることを特徴とする請求項７に記載のハンガー。
【請求項９】
前記２つのハンガー部材との間に、支持棒が取り付けられることを特徴とする請求項７に記載のハンガー。
【請求項１０】
集まり部材を有し、該集まり部材は、板体と、吊り部と、フック部を備え、該板体の厚さがハンガー部材の係合凹部の開口の幅と同じかそれより小さく設定され、該板体の一側に少なくとも１つの掛け凹部が凹設され、該吊り部の両端がそれぞれ板体の両端に連接され、該フック部が吊り部に連接され、前記少なくとも１つのハンガー部材が係合凹部を介して集まり部材の少なくとも１つの掛け凹部に係合されることを特徴とする請求項１乃至６の何れか１項に記載のハンガー。
【考案の詳細な説明】
【技術分野】
【０００１】
本考案は、特に衣類を乾かすため独立的に使用したり組み合わせて使用したりすることができるハンガーに関するものである。
【背景技術】
【０００２】
ハンガーは、衣類を乾かすため物干し竿につるすのに用いられる道具であり、何世紀も前から使用されており、現在の日常生活にも不可欠な用品である。既存のハンガーは、衣類のディスプレーや、収納、物干し竿に吊るすなどに使用することができる。
【考案の概要】
【考案が解決しようとする課題】
【０００３】
しかしながら、既存のハンガーは、殆ど１つだけで使用するので、他の機能を有しない。他の機能を備えるハンガーは、特殊な設計をしなければならないと共に、一体構造で分解できないことから、別に購入する必要があるが、使用しない場合には、収納しにくいので、空間を占める。
また、既存のハンガーは、独立的に使用することから、洗濯した衣類を吊り下げる時、肩の部分しか支えず、胸の部分と背の部分との間に空気の流れる空間が少ないため、衣類を乾かし難く、胸の部分と背の部分を重ねる場合もあるため、空気との接触面積が少なくなるので、衣類の内部に空気の流れが少なくなり、衣類の乾かす時間が長くなる。
【課題を解決するための手段】
【０００４】
本考案に係るハンガーは、少なくとも１つのハンガー部材を有し、該ハンガー部材は、連接ブロックと、フックと、２つの支持部を備え、そのうち、連接ブロックは、係合部を備え、該係合部の一側に、一端に開口が形成されると共に、他端に密封端が設けられる係合凹部が凹設され、該フックは、連接ブロックの上端に連接され、該２つの支持部は、それぞれが連接ブロックの両側下端に設けられるものである。
【０００５】
かかるハンガーにおいて、前記係合凹部の密封端が係合部の両側の中間に位置することが好ましい。
【０００６】
かかるハンガーにおいて、前記係合部は、少なくとも１つの制限リブを含み、該少なくとも１つの制限リブは、係合凹部と平行すると共に、その延出線が係合凹部の近傍に設定されることが好ましい。
【０００７】
かかるハンガーにおいて、前記係合部は、少なくとも１つの止めリブを含み、該少なくとも１つの止めリブは、係合凹部の開口近傍における相対する２つの内側縁のうちの一方に凸設されることが好ましい。
【０００８】
かかるハンガーにおいて、前記ハンガー部材における２つの支持部との間に底棒が連接されることが好ましい。
【０００９】
かかるハンガーにおいて、前記フックにおける連接ブロックと連接する端面に回転穴が凹設され、該回転穴の内周面に環状の掛け突起が凸設され、前記連接ブロックの係合部の上端に回転頭部が凸設され、該回転頭部の外周面に環状の掛け凹部が凹設され、該掛け突起が回転可能に掛け凹部に組み合わされることが好ましい。
【００１０】
かかるハンガーにおいて、２つの前記ハンガー部材を有し、２つの該ハンガー部材がそれぞれの係合凹部を介して交差に組み合わされることが好ましい。
【００１１】
かかるハンガーにおいて、前記係合凹部の幅は、係合部の肉厚より大きく設定され、前記２つのハンガー部材が交差に組み合わされた角度を９０度よりも小さくなることが好ましい。
【００１２】
かかるハンガーにおいて、前記２つのハンガー部材との間に、支持棒が取り付けられることが好ましい。
【００１３】
かかるハンガーにおいて、集まり部材を有し、該集まり部材は、板体と、吊り部と、フック部を備え、該板体の厚さがハンガー部材の係合凹部の開口の幅と同じかそれより小さく設定され、該板体の一側に少なくとも１つの掛け凹部が凹設され、該吊り部の両端がそれぞれ板体の両端に連接され、該フック部が吊り部に連接され、前記少なくとも１つのハンガー部材が係合凹部を介して集まり部材の少なくとも１つの掛け凹部に係合されることが好ましい。
【考案の効果】
【００１４】
上述した構造を有すれば、以下の効果を提供する。
１．２つのハンガー部材がそれぞれの係合凹部を介して交差に組み合わせ、この時、該２つのハンガー部材が緩んで組み合わされているのでそれぞれを下方に回して押圧すると、それぞれの係合部の制限リブによる２つのハンガー部材を互いに係合させて所定の角度に固定することができる。それによれば、衣類の内部にスペースを作るように吊り下げることができるので、衣類の内部に空気の流れを増加し、短時間で衣類を乾かすことができる。
２．ハンガー部材は、独立的に使用したり収納したりしてもよいことから、使用者が需要に応じて使用方法を自由に選択することができ、実用性及び利便性に優れる。
３．複数のハンガー部材を同時に集まり部材に掛合することができるので、多くの衣類を乾かす効果を有する。
【図面の簡単な説明】
【００１５】
【図１】本考案に係るハンガーの斜視図である。
【図２】本考案に係るハンガーにおけるフックの他の実施例の部分拡大断面図である。
【図３】本考案に係るハンガーの第一実施例において、２つのハンガー部材が交差に組み合わされた状態を示す斜視図である。
【図４】図３の側面図である。
【図５】本考案に係るハンガーの第一実施例において、２つのハンガー部材が交差に組み合わされる連続動作を示す説明図である。
【図６】本考案に係るハンガーの第一実施例において、２つのハンガー部材が衣類を吊り下げた状態を示す説明図である。
【図７】本考案に係るハンガーの第二実施例において、２つのハンガー部材が交差に組み合わされた状態を示す斜視図である。
【図８】本考案に係るハンガーの第三実施例において、複数のハンガー部材が集まり部材に掛合された状態を示す部分分解斜視図である。
【図９】本考案に係るハンガーの第三実施例における集まり部材の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図４に示すように、本考案に係るハンガーの第一実施例は、２つの交差に組み合わせたハンガー部材１Ａ、１Ｂを有し、そのハンガー部材１Ａ、１Ｂの構造は殆ど同一であり、そのうち、１つのハンガー部材を独立的に使用したり、２つのハンガー部材を互いに組み合わせて使用したりすることができることから、使用者が需要に応じて自由に選択することができる。以下の説明において、１つのハンガー部材１Ａを実施例として説明する。
【００１８】
前記ハンガー部材１Ａは、連接ブロック１０と、フック２０と、２つの支持部３０を備え、該連接ブロック１０は、ハンガー部材１Ａの中央に設けられ、該フック２０は、回転可能に連接ブロック１０の上端に連接され、或いは、連接ブロック１０の上端に固定され、該２つの支持部３０はそれぞれ、斜め下方に延出するように連接ブロック１０の両側下端に設けられ、該２つの支持部３０との間に底棒３２が連接され、それによれば、該連接ブロック１０と、該２つの支持部３０と、該底棒３２によってハンガーの鋭角三角形を構成する。
【００１９】
前記連接ブロック１０は、係合部１２を備え、該係合部１２は、横方向に連接ブロック１０に設けられ、係合凹部１２２と、少なくとも１つの制限リブ１２４と、少なくとも１つの止めリブ１２８を備え、該係合凹部１２２は、係合部１２の一側に凹設され、その一端に開口が形成され、その他端に密封端が設けられ、該係合凹部１２２を有すれば、２つのハンガー部材１Ａ、１Ｂが互いに交差に組み合わされることができる。
前記係合凹部１２２は、密封端が係合部１２の両側の中間に位置するように形成され、この構造を有すれば、２つのハンガー部材１Ａ、１Ｂが交差に組み合わされると、該２つのハンガー部材１Ａ、１Ｂにおける、２つの支持部３０がそれぞれ対応すると共に底棒３２が平行するようになる。一方、前記係合凹部１２２は、密封端が係合部１２の両側の中間より他側と接近するように形成され、この構造を有すれば、２つのハンガー部材１Ａがしっかりと交差に組み合わされる。
さらに、前記係合凹部１２２の開口の幅は、係合部１２の肉厚より略大きく設定され、それによれば、２つのハンガー部材１Ａが交差に組み合わされた角度が９０度よりも略小さくなる。一方、前記係合凹部１２２の開口の幅は、係合部１２の肉厚と同一であってもよく、それによれば、２つのハンガー部材１Ａ、１Ｂが交差に組み合わされた角度が９０度になり、２つのハンガー部材１Ａ、１Ｂがしっかりと係合される。
【００２０】
前記少なくとも１つの制限リブ１２４は、係合部１２の何れかの一側面に設けられても構わない。該制限リブ１２４の延出線は、係合凹部１２２と平行しながらその内部と対応しないように、該係合凹部１２２の近傍に設定され、すなわち、該少なくとも１つの制限リブ１２４の延出線は、係合凹部１２２の上側または下側と対応するように設定される。
前記少なくとも１つの止めリブ１２８は、係合凹部１２２の開口近傍における相対する２つの内側縁のうちの一方に凸設され、或いは、係合凹部１２２の開口近傍の相対する２つの内側縁に凸設され、その止めリブ１２８を有すれば、２つのハンガー部材１Ａ、１Ｂが交差に組み合わされる場合に、２つのハンガー部材１Ａ、１Ｂを穏やかに結合させることから、２つのハンガー部材１Ａ、１Ｂが簡単に脱出したり分解したりすることはない。
【００２１】
前記フック２０の他の実施例において、図２に示すように、該フック２０における連接ブロック１０と連接する端面に回転穴２２が凹設され、該回転穴２２の内周面に環状の掛け突起２２０が凸設され、前記連接ブロック１０の係合部１２の上端に回転頭部１２６が凸設され、該回転頭部１２６の外周面に環状の掛け凹部１２６０が凹設され、該掛け突起２２０が回転可能に掛け凹部１２６０に組み合わされることによって、該フック２０を回転可能に連接ブロック１０に取り付ける。そのうち、前記回転穴２２及び回転頭部１２６は、如何なる構造でも、互いに回転可能に取り付けられればよく、例えば、該回転穴２２の内周面に環状の係合凹部が凹設されると共に、該回転頭部１２６の外周面に環状の係合凸部が凸設され、該係合凸部が回転可能に係合凹部に組み合わされてもよい。
【００２２】
本考案に係るハンガーの第一実施例において、使用する時、図５及び図６に示すように、まず２つのハンガー部材１Ａ、１Ｂがそれぞれの係合凹部１２２を介して９０度に交差に組み合わせる。この時、係合凹部１２２の幅が係合部１２の肉厚より略大きく設定されることから、２つのハンガー部材１Ａ、１Ｂが緩んで組み合わされており、そして、２つのハンガー部材１Ａ、１Ｂをそれぞれ下方に回して押圧すると、２つのハンガー部材１Ａ、１Ｂがそれぞれの係合部１２の制限リブ１２４による互いに係合されて所定の角度に固定され、すなわち、９０度よりも小さい角度に固定される。
したがって、本考案に係るハンガーを用いれば、衣類の内部にスペースを作るように吊り下げることができるので、衣類の内部の空気の流れを増加し、短時間で衣類を乾かすことができる。一方、ハンガー部材１Ａ、１Ｂは、独立的に使用したり収納したりしてもよく、使用者の需要に応じて使用方法を自由に選択することができることから、優れた実用性及び利便性を有する。
【００２３】
図７に示すように、本考案に係るハンガーの第二実施例は、前記ハンガー部材１Ａの底棒３２と前記ハンガー部材１Ｂの底棒３２との間にさらに、支持棒４０が取り付けられ、該支持棒４０を有すれば、２つのハンガー部材１Ａ、１Ｂとを所定の距離を隔てて固定することができる。
【００２４】
図８及び図９に示すように、本考案に係るハンガーの第三実施例はさらに、集まり部材５０を有し、該集まり部材５０を有すれば、複数のハンガーを同時に吊り下げることができる。
前記集まり部材５０は、板体５１と、吊り部５２と、フック部５３を備え、該板体５１は、平坦状かつ細長状のプレートであり、その厚さがハンガー部材１Ａの連接ブロック１０の係合凹部１２２の開口の幅と同じかそれより小さく設定され、該板体５１の一側に少なくとも１つの掛け凹部５１１が凹設され、或いは、該板体５１の両側にそれぞれ、少なくとも１つの掛け凹部５１１が交互に凹設され、該各掛け凹部５１１の長さは、板体５１の横方向の幅の半分と同じかそれ以上に設定される。それによれば、該各ハンガー部材１Ａが係合凹部１２２を介して集まり部材５０の掛け凹部５１１に掛合される。
前記吊り部５２における、両端がそれぞれ板体５１の両端に連接され、中央部分が連接しながら上方に延出する。該吊り部５２は、中央部分がそれぞれ連接されると共に、それぞれの端部が板体５１の４つの隅角に連接される、４本のロープであることが好ましい。
前記フック部５３は、吊り部５２の中央部分に連接され、すなわち、４本のロープに連接される。
【００２５】
本考案に係るハンガーの第三実施例において、使用する時、複数のハンガー部材１Ａが係合凹部１２２による集まり部材５０の板体５１の掛け凹部５１１に係合されることから、該集まり部材５０に複数のハンガー部材１Ａを同時に掛合することができる。
該集まり部材５０を用いれば、複数のハンガー部材１Ａを同時に係合することができるため、多くの衣類を乾かす効果を有する。一方、その板体５１の両側にそれぞれ少なくとも１つの掛け凹部５１１が交互に凹設されれば、そのハンガー部材１Ａ及びハンガー部材１Ｂがそれぞれの係合凹部１２２の開口方向によって、板体５１における適当な掛け凹部５１１に掛合されればよい。
【符号の説明】
【００２６】
１Ａ、１Ｂ  ハンガー部材
１０  連接ブロック
１２  係合部
１２２  係合凹部
１２４  制限リブ
１２６  回転頭部
１２６０  掛け凹部
１２８  止めリブ
２０  フック
２２  回転穴
２２０  掛け突起
３０  支持部
３２  底棒
４０  支持棒
５０  集まり部材
５１  板体
５１１  掛け凹部
５２  吊り部
５３  フック部
【図１】
0003210724.tif 000003
【図２】
0003210724.tif 000004
【図３】
0003210724.tif 000005
【図４】
0003210724.tif 000006
【図５】
0003210724.tif 000007
【図６】
0003210724.tif 000008
【図７】
0003210724.tif 000009
【図８】
0003210724.tif 000010
【図９】
0003210724.tif 000011